(57)【特許請求の範囲】
【請求項１】
板状部材の端部下面に照明装置を設置してなる照明装置の設置構造において、
前記照明装置は、
前記板状部材の端部下面側に配置される光源ユニットと、
前記光源ユニットを収容し、上部が前記板状部材の端部にビスによって固定される筒状のブラケットと、からなり、
前記ブラケットは、
側方に開口する断面略Ｃ形状に形成され、前記光源ユニットを収容する収容部と、
前記収容部の上部に一体形成され、前記光源ユニットからの光を間接光として下方に照射するための反射板と、を備えており、
前記収容部の下面板は、前記光源ユニットの下面に位置し、この光源ユニットを保護するためのカバー部材とされており、
前記反射板は、
前記光源ユニットに対して前記収容部の開口を介して対向するとともに前記収容部から離間して配置される垂直部と、
前記垂直部の上端から前記収納部の上部にかけて湾曲して設けられる湾曲部と、からなることを特徴とする照明装置の設置構造。
【請求項２】
請求項１に記載の照明装置の設置構造において、
前記光源ユニットは、
複数の光源と、
前記複数の光源が長さ方向に点在する基板と、
前記基板が収納されるとともに透光性を有するケーシングと、を備えており、
前記ケーシングは、発光面となるレンズ部を有し、
当該レンズ部は凸レンズであり、レンズ光軸が前記反射板側に傾斜した状態となっており、さらに、当該レンズ部の、前記反射板の前記垂直部側よりも前記湾曲部側の方が曲率が小さくなるように設定されていることを特徴とする照明装置の設置構造。
【請求項３】
請求項１または２に記載の照明装置の設置構造において、
前記収容部の下面板は、この下面板の開口側端部から上方に突出する突出片を有しており、
前記光源ユニットは、この突出片よりも内側に位置するようにして前記下面板上に載置されていることを特徴とする照明装置の設置構造。
【請求項４】
請求項１〜３のいずれか一項に記載の照明装置の設置構造において、
前記ブラケットは、このブラケットの上面から上方に突出する固定板を備えており、
この固定板は、前記板状部材の端部側面からビスによって固定されていることを特徴とする照明装置の設置構造。
【請求項５】
請求項１〜４のいずれか一項に記載の照明装置の設置構造において、
前記板状部材に対するブラケットの固定箇所は、遮蔽部材によって遮蔽されていることを特徴とする照明装置の設置構造。
【請求項６】
請求項５に記載の照明装置の設置構造において、
前記遮蔽部材は、前記板状部材の端部上面を覆う上面部と、板状部材の端部側面を覆う前面部とを有しており、
前記前面部の下端部は、前記板状部材の端部下面よりも下方に突出していることを特徴とする照明装置の設置構造。
【請求項７】
請求項６に記載の照明装置の設置構造において、
前記板状部材は、玄関土間に設けられた立ち上がり部の上面に、この立ち上がり部の土間側面よりも土間側に突出するようにして設置された玄関床とされており、
この玄関床の土間側端部の下端部に、前記照明装置が取り付けられており、
この玄関床の土間側端部には、前記遮蔽部材である上がり框が取り付けられていることを特徴とする照明装置の設置構造。
【請求項８】
請求項７に記載の照明装置の設置構造において、
前記玄関床の土間側端部の突出側端面には、前記上がり框の取り付け下地となる下地材が取り付けられており、
この下地材の下面の高さ位置を、前記玄関床の土間側端部の下面よりも上方に設定することによって、該土間側端部の突出側端面の下部が玄関土間側に露出しており、
前記ブラケットは、前記固定板を前記土間側端部の突出側端面の下部に固定することによって、前記玄関床の土間側端部に取り付けられていることを特徴とする照明装置の設置構造。
【請求項９】
請求項１〜８のいずれか一項に記載の照明装置の設置構造において、
前記板状部材の端部には切欠部が形成されており、この切欠部に、前記ブラケットが収納されていることを特徴とする照明装置の設置構造。
【発明の詳細な説明】
【技術分野】
【０００１】
本発明は、建物内の設備や家具を構成する板状部材の端部下面に照明装置を設置してなる照明装置の設置構造に関する。
【背景技術】
【０００２】
従来、建物内の設備や家具を構成する板状部材の端部下面に照明装置を設置する技術が知られている。
例えば、住宅等の建物の玄関においては、玄関土間側に突出する上がり框の突出方向側端部に、突出方向に開口する収納部を形成し、この収納部に、前方から照明装置を取り付けている（例えば、特許文献１参照）。この技術によれば、目視確認しながら照明装置の施工を行うことができるので、施工性を向上させることができる。
なお、照明装置は、このような玄関の上がり框の部分だけに限られず、例えば、階段の段板部分や、吊戸棚の棚板部分、カーテンボックスの側板部分等にも設置される。
【先行技術文献】
【特許文献】
【０００３】
【特許文献１】特開２００２−２９８６４２号公報
【発明の概要】
【発明が解決しようとする課題】
【０００４】
ところで、特許文献１のように照明装置の収納部が前方に開口する場合、光源が前方に露出するため、光源は、例えばポリカーボネート等のような透光性を有する材料からなるカバーによって覆われている。
ところが、例えば玄関ホールや上がり框として木製や木調のものを採用すると、透光性を有するカバーが玄関周囲の外観に調和しにくい場合がある。さらに、光源から発せられる光が前方土間側に直接的に照射されるため、照明装置およびカバー部分が目立ってしまい、より一層、玄関周囲の外観に調和しにくくなる場合があるため、カバーを前方に露出させたくないという要望があった。
また、この特許文献１に記載のような技術では、照明装置の発光面が前方に位置するため、人の出入りに伴う砂塵によって発光面に傷が付いてしまったり、発光面の傷による光の散乱や屈折が生じる場合がある。
なお、このような事例は、照明装置を、建物内のその他の場所に設置する場合にも該当するものであり、解決が望まれていた。
【０００５】
本発明の課題は、照明装置を周囲の外観に調和させやすくすることができるとともに、発光面を確実に保護することが可能な照明装置の設置構造を提供することを目的とする。
【課題を解決するための手段】
【０００６】
請求項１に記載の発明は、例えば図１〜図１３に示すように、板状部材５３（６１，７１，８１）の端部５４（６２，７２，８２）下面に照明装置１０（２０，３０，４０）を設置してなる照明装置１０（２０，３０，４０）の設置構造において、
前記照明装置１０（２０，３０，４０）は、
前記板状部材５３（６１，７１，８１）の端部５４（６２，７２，８２）下面側に配置される光源ユニット１と、
前記光源ユニット１を収容し、上部が前記板状部材５３（６１，７１，８１）の端部にビス１５（２５，３５，４５）によって固定される筒状のブラケット１１（２１，３１，４１）と、からなり、
前記ブラケット１１（２１，３１，４１）は、
側方に開口する断面略Ｃ形状に形成され、前記光源ユニット１を収容する収容部１２（２２，３２，４２）と、
前記収容部の上部一体形成され、光源ユニット１からの光を間接光として下方に照射するための反射板１３（２３，２４，２５）と、を備えており、
前記収容部１２（２２，３２，４２）の下面板１２ｂ（２２ｂ，３２ｂ，４２ｂ）は、前記光源ユニットの下面に位置し、この光源ユニット１を保護するためのカバー部材１２ｂ（２２ｂ，３２ｂ，４２ｂ）とされており、
前記反射板１３（２３，３３，４３）は、
前記光源ユニット１に対して前記収容部１２（２２，３２，４２）の開口を介して対向するとともに前記収容部１２（２２，３２，４２）から離間して配置される垂直部１３ａ（２３ａ，３３ａ，４３ａ）と、
前記垂直部１３ａ（２３ａ，３３ａ，４３ａ）の上端から前記収納部１２（２２，３２，４２）の上部にかけて湾曲して設けられる湾曲部１３ｂ（２３ｂ，３３ｂ，４３ｂ）と、からなることを特徴とする。
【０００７】
ここで、前記板状部材とは、住宅等の建物内の設備や家具を構成する板状の部材全般を指しており、水平または鉛直、または水平方向に対して傾斜した状態で配置されている。この板状部材としては、例えば側端部が玄関土間に突出するようにして設置される玄関床や、階段の段板、吊戸棚の棚板、カーテンボックスの側板、建物躯体を構成する壁パネル・床パネル等の建築用パネル等が挙げられる。また、この板状部材は、この板状部材の端部下面の下方に空間が存在する状態で配置されている。
【０００８】
請求項１に記載の発明によれば、前記照明装置１０（２０，３０，４０）は、前記板状部材５３（６１，７１，８１）の端部５４（６２，７２，８２）下面側に配置される光源ユニット１と、この光源ユニット１からの光を間接光として下方に照射するための反射板１３（２３，２４，２５）を備える筒状のブラケット１１（２１，３１，４１）とからなり、前記ブラケット１１（２１，３１，４１）は、前記板状部材５３（６１，７１，８１）の端部にビス１５（２５，３５，４５）によって固定されているので、前記光源ユニット１の発光面を前方に向けなくても、この光源ユニット１から発せられる光を、前記ブラケット１１（２１，３１，４１）の反射板１３（２３，２４，２５）によって反射させて、間接光として前記板状部材５３（６１，７１，８１）の端部下方に照射することができる。これによって、従来とは異なり、前記光源ユニット１を露出させたり、発光面を前方に向けたりする必要がなくなるので、前記照明装置１０（２０，３０，４０）を周囲の外観に調和させやすくすることができるとともに、前記光源ユニット１の発光面を確実に保護することが可能となる。
また、前記光源ユニット１の下面には、この光源ユニット１を保護するためのカバー部材１２ｂ（２２ｂ，３２ｂ，４２ｂ）が設けられているので、このカバー部材１２ｂ（２２ｂ，３２ｂ，４２ｂ）によって、前記光源ユニット１の発光面をより確実に保護することができる。
【０００９】
請求項２に記載の発明は、例えば図１〜図１３に示すように、請求項１に記載の照明装置１０（２０，３０，４０）の設置構造において、
前記光源ユニット１は、
複数の光源２と、
前記複数の光源２が長さ方向に点在する基板３と、
前記基板３が収納されるとともに透光性を有するケーシング４と、を備えており、
前記ケーシング４は、発光面となるレンズ部５を有し、
当該レンズ部５は凸レンズであり、レンズ光軸が前記反射板１３（２３，３３，４３）側に傾斜した状態となっており、さらに、当該レンズ部５の、前記反射板１３（２３，３３，４３）の前記垂直部１３ａ（２３ａ，３３ａ，４３ａ）側よりも前記湾曲部１３ｂ（２３ｂ，３３ｂ，４３ｂ）側の方が曲率が小さくなるように設定されていることを特徴とする。
【００１０】
請求項２に記載の発明によれば、前記光源２から発せられる光をより多く反射板１３で反射でき、光学制御しやすい。つまり、間接光を生成しやすくなる。
【００１１】
請求項３に記載の発明は、例えば図１〜図１３に示すように、請求項２に記載の照明装置１０（２０，３０，４０）の設置構造において、
前記収容部１２（２２，３２，４２）の下面板１２ｂ（２２ｂ，３２ｂ，４２ｂ）は、この下面板１２ｂ（２２ｂ，３２ｂ，４２ｂ）の開口側端部から上方に突出する突出片１２ｄ（２２ｄ，３２ｄ，４２ｄ）を有しており、
前記光源ユニット１は、この突出片１２ｄ（２２ｄ，３２ｄ，４２ｄ）よりも内側に位置するようにして前記下面板１２ｂ（２２ｂ，３２ｂ，４２ｂ）上に載置されていることを特徴とする。
【００１２】
請求項３に記載の発明によれば、前記収容部１２（２２，３２，４２）の下面板は、この下面板１２ｂ（２２ｂ，３２ｂ，４２ｂ）の開口側端部から上方に突出する突出片１２ｄ（２２ｄ，３２ｄ，４２ｄ）を有しており、前記光源ユニット１は、この突出片１２ｄ（２２ｄ，３２ｄ，４２ｄ）よりも内側に位置するようにして前記下面板１２ｂ（２２ｂ，３２ｂ，４２ｂ）上に載置されているので、前記光源ユニット１を収容部１２（２２，３２，４２）内に確実に収容できるとともに、前記下面板１２ｂ（２２ｂ，３２ｂ，４２ｂ）および突出片１２ｄ（２２ｄ，３２ｄ，４２ｄ）によって、前記光源ユニット１の発光面をさらに確実に保護することができる。
【００１３】
請求項４に記載の発明は、例えば図１〜図３，図６〜図１０，図１２に示すように、請求項１〜３のいずれか一項に記載の照明装置１０（２０，３０）の設置構造において、
前記ブラケット１１（２１，３１）は、このブラケット１１（２１，３１）の上面から上方に突出する固定板１４（２４，３４）を備えており、
この固定板１４（２４，３４）は、前記板状部材５３（６１，７１）の端部５４（６２，７２）側面からビス１５（２５，３５）によって固定されていることを特徴とする。
【００１４】
請求項４に記載の発明によれば、前記ブラケット１１（２１，３１）は、このブラケット１１（２１，３１）の上面から上方に突出する固定板１４（２４，３４）を備えており、この固定板１４（２４，３４）は、前記板状部材５３（６１，７１）の端部５４（６２，７２）側面からビス１５（２５，３５）によって固定されているので、この固定板１４（２４，３４）を、前記板状部材５３（６１，７１）の端部５４（６２，７２）側面に対して前方からビス１５（２５，３５）によって固定することができる。これによって、目視確認しながら、前記照明装置１０（２０，３０）を前記板状部材５３（６１，７１）の端部５４（６２，７２）に固定することができるので、前記照明装置１０（２０，３０）の施工を容易かつ確実に行うことができる。
【００１５】
請求項５に記載の発明は、例えば図６〜図１３に示すように、請求項１〜４のいずれか一項に記載の照明装置１０（２０，３０，４０）の設置構造において、
前記板状部材５３（６１，７１，８１）に対するブラケット１１（２１，３１，４１）の固定箇所は、遮蔽部材５５（６４，６５，７３，８６）によって遮蔽されていることを特徴とする。
【００１６】
ここで、前記遮蔽部材とは、住宅等の建物内の設備や家具を構成する前記板状部材と組み合わせて用いられるものである。この遮蔽部材としては、例えば玄関床の土間側端部に設けられる上がり框や、階段の段板の側端部に設けられる滑り止め、吊戸棚の扉板、カーテンボックスに沿って設けられる廻り縁等が挙げられる。
【００１７】
請求項５に記載の発明によれば、前記板状部材５３（６１，７１，８１）に対するブラケット１１（２１，３１，４１）の固定箇所は、遮蔽部材５５（６４，６５，７３，８６）によって遮蔽されているので、前記ビス１５（２５，３５，４５）を遮蔽でき、前記照明装置１０（２０，３０，４０）を周囲の外観により調和させやすくすることができる。
【００１８】
請求項６に記載の発明は、例えば図１〜図９に示すように、請求項５に記載の照明装置１０（２０，３０，４０）の設置構造において、
前記遮蔽部材５５（６４，６５）は、前記板状部材５３（６１）の端部５４（６２）上面を覆う上面部５５ａ（６４ａ，６５ａ）と、板状部材５３（６１）の端部５４（６２）側面を覆う前面部５５ｂ（６４ｂ，６５ｂ）とを有しており、
前記前面部５５ｂ（６４ｂ，６５ｂ）の下端部は、前記板状部材５３（６１）の端部５４（６２）下面よりも下方に突出していることを特徴とする。
【００１９】
請求項６に記載の発明によれば、前記遮蔽部材５５（６４，６５）は、前記板状部材５３（６１）の端部５４（６２）上面を覆う上面部５５ａ（６４ａ，６５ａ）と、板状部材５３（６１）の端部５４（６２）側面を覆う前面部５５ｂ（６４ｂ，６５ｂ）とを有しており、前記前面部５５ｂ（６４ｂ，６５ｂ）の下端部は、前記板状部材５３（６１）の端部５４（６２）下面よりも下方に突出しているので、前記板状部材５３（６１）に対するブラケット１１（２１，３１，４１）の固定箇所を遮蔽部材５５（６４，６５）で遮蔽できることに加え、前記前面部５５ｂ（６４ｂ，６５ｂ）の下端部によって、前記板状部材５３（６１）の端部と前記ブラケット１１（２１，３１，４１）自体とを遮蔽できる。これによって、前記照明装置１０（２０，３０，４０）を周囲の外観により一層調和させやすくすることができる。
【００２０】
請求項７に記載の発明は、例えば図１，図５〜図７に示すように、請求項６に記載の照明装置１０の設置構造において、
前記板状部材５３は、玄関土間５１に設けられた立ち上がり部５２の上面に、この立ち上がり部５２の土間５１側面よりも土間５１側に突出するようにして設置された玄関床とされており、
この玄関床５３の土間側端部５４の下端部に、前記照明装置１０が取り付けられており、
この玄関床５３の土間側端部５４には、前記遮蔽部材５５である上がり框が取り付けられていることを特徴とする。
【００２１】
請求項７に記載の発明によれば、前記板状部材５３である玄関床の土間側端部５４の下端部に、前記照明装置１０が取り付けられており、この玄関床５３の土間側端部５４には、前記遮蔽部材５５である上がり框が取り付けられているので、この上がり框５５によって、前記玄関床５３に対するブラケット１１の固定箇所を遮蔽できることに加え、前記前面部５５ｂの下端部によって、前記玄関床５３の土間側端部５４と前記ブラケット１１自体とを遮蔽できる。これによって、前記照明装置１０を周囲の外観にさらに調和させやすくすることができる。
【００２２】
請求項８に記載の発明は、例えば図１，図５〜図７に示すように、請求項７に記載の照明装置１０の設置構造において、
前記玄関床５３の土間側端部５４の突出側端面には、前記上がり框５５の取り付け下地となる下地材５４ａが取り付けられており、
この下地材５４ａの下面の高さ位置を、前記玄関床５３の土間側端部５４の下面よりも上方に設定することによって、該土間側端部５４の突出側端面の下部が玄関土間５１側に露出しており、
前記ブラケット１１は、前記固定板１４を前記土間側端部５４の突出側端面の下部に固定することによって、前記玄関床５３の土間側端部５４に取り付けられていることを特徴とする。
【００２３】
請求項８に記載の発明によれば、下地材５４ａの下面の高さ位置を、前記玄関床５３の土間側端部５４の下面よりも上方に設定することによって、該土間側端部５４の突出側端面の下部が玄関土間５１側に露出しており、前記ブラケット１１は、前記固定板１４を前記土間側端部５４の突出側端面の下部に固定することによって、前記玄関床５３の土間側端部５４に取り付けられているので、前記上がり框５５を前記土間側端部５４に取り付ける前に、前記固定板１４を前記土間側端部５４の突出側端面に対して前方からビス１５固定することができる。これによって、前記ブラケット１１ひいては照明装置１０の取付作業を容易かつ確実に行うことができる。
【００２４】
請求項９に記載の発明は、例えば図９に示すように、請求項１〜８のいずれか一項に記載の照明装置３０の設置構造において、
前記板状部材６１の端部６２には切欠部６２ａが形成されており、この切欠部６２ａに、前記ブラケット３１が収納されていることを特徴とする。
【００２５】
請求項９に記載の発明によれば、前記板状部材６１の端部６２には切欠部６２ａが形成されており、この切欠部６２ａに、前記ブラケット３１が収納されているので、前記照明装置３０を外部から目立たなくすることができ、この照明装置３０を周囲の外観により一層調和させやすくすることができる。
【発明の効果】
【００２６】
本発明によれば、照明装置は、板状部材の端部下面側に配置される光源ユニットと、この光源ユニットからの光を間接光として下方に照射するための反射板を備える筒状のブラケットとからなり、ブラケットは、板状部材の端部にビスによって固定されているので、光源ユニットの発光面を前方に向けなくても、この光源ユニットから発せられる光を、ブラケットの反射板によって反射させて、間接光として板状部材の端部下方に照射することができる。これによって、従来とは異なり、光源ユニットを露出させたり、発光面を前方に向けたりする必要がなくなるので、照明装置を周囲の外観に調和させやすくすることができるとともに、光源ユニットの発光面を確実に保護することが可能となる。
【図面の簡単な説明】
【００２７】
【図１】本発明に係る照明装置の設置構造に用いられる照明装置を構成するブラケットの一例を示す斜視図である。
【図２】同、ブラケットの一例を示す斜視図である。
【図３】同、ブラケットの一例を示す斜視図である。
【図４】同、ブラケットの一例を示す斜視図である。
【図５】同、光源ユニットの一例を示す拡大断面図である。
【図６】本発明に係る照明装置の設置構造の一例（玄関）を示す断面図である。
【図７】同、断面図である。
【図８】本発明に係る照明装置の設置構造の一例（階段）を示す断面図である。
【図９】同、断面図である。
【図１０】本発明に係る照明装置の設置構造の一例（吊戸棚）を示す断面図である。
【図１１】同、断面図である。
【図１２】本発明に係る照明装置の設置構造の一例（カーテンボックス）を示す断面図である。
【図１３】同、断面図である。
【発明を実施するための形態】
【００２８】
以下、図面を参照して本発明の実施の形態について説明する。
本実施の形態の照明装置１０（２０，３０，４０）の設置構造は、図１〜図１３に示すように、板状部材５３（６１，７１，８１）の端部５４（６２，７２，８２）下面に照明装置１０（２０，３０，４０）を設置してなる。
前記照明装置１０（２０，３０，４０）は、前記板状部材５３（６１，７１，８１）の端部５４（６２，７２，８２）下面側に配置される光源ユニット１と、この光源ユニット１からの光を間接光として下方に照射するための反射板１３（２３，２４，２５）を備える筒状のブラケット１１（２１，３１，４１）とからなり、前記ブラケット１１（２１，３１，４１）は、前記板状部材５３（６１，７１，８１）の端部にビス１５（２５，３５，４５）によって固定されている。
【００２９】
ここで、本実施の形態の照明装置１０は、図１および図５に示すように、前記板状部材５３（６１，７１，８１）の端部５４（６２，７２，８２）下面側に配置される光源ユニット１と、この光源ユニット１からの光を間接光として下方に照射するための反射板１３を備える筒状のブラケット１１とからなる。
光源ユニット１は、ＬＥＤ（Ｌｉｇｈｔ Ｅｍｉｔｔｉｎｇ Ｄｉｏｄｅ）等の光源２と、複数の光源２が長さ方向に点在する基板３と、この基板３が収納されるとともに透光性を有するケーシング４とを備えている。なお、このケーシング４は、発光面となるレンズ部５を有している。
ブラケット１１は、前記光源ユニット１を収容する収容部１２と、この収容部１２に一体形成されるとともに前記光源ユニット１に対向して配置される前記反射板１３とを備えている。
【００３０】
また、前記収容部１２は、側方に開口する断面略Ｃ形状に形成されており、上面板１２ａと、下面板１２ｂと、これら上面板１２ａと下面板１２ｂとの開口側端部とは反対側の端部間に設けられる側面板１２ｃと、前記上面板１２ａから上方に突出する固定板１４とを有している。
また、前記下面板１２ｂは、この下面板１２ｂの開口側端部から上方に突出する突出片１２ｄを備えている。
なお、前記光源ユニット１は、この突出片１２ｄよりも内側に位置するようにして前記下面板１２ｂ上に載置されている。さらに、この光源ユニット１は、光源２から発せられる光が側方に向かって照射されるように配置されている。
また、光源ユニット１と前記上面板１２ａとの間には、これら光源ユニット１の上面と上面板１２ａの下面との間の隙間を埋めるパッキン材６が設けられている。
また、前記下面板１２ｂは、前記光源ユニット１を保護するためのカバー部材として機能している。すなわち、前記光源ユニット１の下面には、この光源ユニット１を保護するためのカバー部材である下面板１２ｂが設けられている。
【００３１】
前記反射板１３は、前記光源ユニット１に対向する垂直部１３ａと、この垂直部１３ａの上端と前記収容部１２の上面板１２ａとの間に一体形成されるとともに、該垂直部１３ａの上端から上面板１２ａ側に湾曲する湾曲部１３ｂとからなる。
なお、この湾曲部１３ｂと前記上面板１２ａとの間には段差が設けられており、この段差部分から上方に突出するようにして前記固定板１４が設けられている。
前記光源ユニット１から側方に照射された光は、この反射板１３に当たって下方に反射している。特に、反射板１３は垂直部１３ａと湾曲部１３ｂとからなるので、この反射板１３に当たる光は、一方向だけに反射するのではなく、多角的に反射することになる。
なお、前記光源ユニット１のケーシング４のレンズ部５は、凸レンズであり、レンズ光軸が反射板１３側に傾斜した状態となっている。また、このレンズ部５の、前記反射板１３の垂直部１３ａ側と湾曲部１３ｂ側とでは曲率が異なるように設定されており、垂直部１３ａ側よりも湾曲部１３ｂ側の方が曲率が小さくなっている。これによって、前記光源２から発せられる光をより多く反射板１３で反射でき、光学制御しやすい。つまり、間接光を生成しやすくなる。
【００３２】
前記固定板１４は、図１に示すように、前記収容部１２の長さ方向に沿って長尺に形成されている。また、この固定板１４には、その長さ方向に沿って複数のビス孔１４ａが点在して設けられている。
前記ブラケット１１は、この固定板１４を、前記複数のビス孔１４ａからそれぞれビス１５をねじ込んで前記板状部材５３（６１，７１，８１）の端部５４（６２，７２，８２）側面に固定することによって、前記板状部材５３（６１，７１，８１）の端部５４（６２，７２，８２）に固定される。
【００３３】
なお、前記光源ユニット１は、図示はしないが、電源線を介して電源に接続されており、光源ユニットへの通電の切替を行うための切替手段を適宜操作することによって、居住者が、光源２の発光・消光を切替できるようになっている。
【００３４】
また、本実施の形態の照明装置２０は、図２および図５に示すように、前記板状部材５３（６１，７１，８１）の端部５４（６２，７２，８２）下面側に配置される光源ユニット１と、この光源ユニット１からの光を間接光として下方に照射するための反射板２３を備える筒状のブラケット２１とからなる。
この照明装置２０は、前記照明装置１０よりも小さいサイズで構成されたものであり、設置場所に応じて、前記照明装置１０と使い分けることができる。
光源ユニット１は、上述のものと同様の基本構成となっているが、サイズは小さいものを使用している。
さらに、ブラケット２１も、前記ブラケット１１と同様の構成となっており、前記光源ユニット１を収容する収容部２２と、この収容部２２に一体形成されるとともに前記光源ユニット１に対向して配置される前記反射板２３とを備えている。
【００３５】
前記収容部２２は、前記ブラケット１１と同様、側方に開口する断面略Ｃ形状に形成されており、上面板２２ａと、下面板２２ｂと、側面板２２ｃと、突出片２２ｄと、固定板２４とを有している。
また、光源ユニット１と前記上面板２２ａとの間にはパッキン材６が設けられている。
また、前記下面板２２ｂは、前記光源ユニット１を保護するためのカバー部材として機能している。
前記反射板２３は、垂直部２３ａと、湾曲部２３ｂとからなる。なお、この湾曲部２３ｂと前記上面板２２ａとの間に設けられた段差部分から上方に突出するようにして前記固定板２４が設けられている。
この固定板２４は、前記収容部２２の長さ方向に沿って長尺に形成されており、その長さ方向に沿って複数のビス孔２４ａが点在して設けられている。
前記ブラケット２１は、この固定板２４を、前記複数のビス孔２４ａからそれぞれビス２５をねじ込んで前記板状部材５３（６１，７１，８１）の端部５４（６２，７２，８２）側面に固定することによって、前記板状部材５３（６１，７１，８１）の端部５４（６２，７２，８２）に固定される。
【００３６】
また、本実施の形態の照明装置３０は、図３および図５に示すように、前記板状部材５３（６１，７１，８１）の端部５４（６２，７２，８２）下面側に配置される光源ユニット１と、この光源ユニット１からの光を間接光として下方に照射するための反射板３３を備える筒状のブラケット３１とからなる。
この照明装置３０は、前記照明装置１０のサイズと略等しくなるように設定されており、光源ユニット１も、前記照明装置１０で用いられたものと略等しいサイズに設定されている。
ブラケット３１は、前記光源ユニット１を収容する収容部３２と、この収容部３２に一体形成されるとともに前記光源ユニット１に対向して配置される前記反射板３３とを備えている。
【００３７】
前記収容部３２は、側方に開口する断面略Ｃ形状に形成されており、上面板３２ａと、下面板３２ｂと、側面板３２ｃと、突出片３２ｄと、固定板３４とを有している。
ここで、この収容部３２は、上述の収容部１２，２２とは異なり、固定板３４は、前記側面板３２ｃの上方に位置しており、この側面板３２ｃから上方に突出している。
また、光源ユニット１と前記上面板３２ａとの間にはパッキン材６が設けられる。
また、前記下面板３２ｂは、前記光源ユニット１を保護するためのカバー部材として機能している。
前記反射板３３は、垂直部３３ａと、湾曲部３３ｂとからなる。なお、この湾曲部３３ｂと前記上面板３２ａとの間には段差が形成されていない。
前記固定板３４は、前記収容部３２の長さ方向に沿って長尺に形成されており、その長さ方向に沿って複数のビス孔３４ａが点在して設けられている。
前記ブラケット３１は、この固定板３４を、前記複数のビス孔３４ａからそれぞれビス３５をねじ込んで前記板状部材５３（６１，７１，８１）の端部５４（６２，７２，８２）側面に固定することによって、前記板状部材５３（６１，７１，８１）の端部５４（６２，７２，８２）に固定される。
【００３８】
また、本実施の形態の照明装置３０は、図４および図５に示すように、前記板状部材５３（６１，７１，８１）の端部５４（６２，７２，８２）下面側に配置される光源ユニット１と、この光源ユニット１からの光を間接光として下方に照射するための反射板４３を備える筒状のブラケット４１とからなる。
この照明装置４０は、前記照明装置４０のサイズと略等しくなるように設定されており、光源ユニット１も、前記照明装置１０で用いられたものと略等しいサイズに設定されている。
ブラケット４１は、前記光源ユニット１を収容する収容部４２と、この収容部４２に一体形成されるとともに前記光源ユニット１に対向して配置される前記反射板４３とを備えている。
【００３９】
前記収容部４２は、側方に開口する断面略Ｃ形状に形成されており、上面板４２ａと、下面板４２ｂと、側面板４２ｃと、突出片４２ｄとを有している。
すなわち、この収容部４２は、上述の収容部１２，２２，３２とは異なり、固定板が設けられない形態となっている。
また、光源ユニット１と前記上面板４２ａとの間にはパッキン材６が設けられる。
また、前記下面板４２ｂは、前記光源ユニット１を保護するためのカバー部材として機能している。
前記反射板４３は、垂直部４３ａと、湾曲部４３ｂとからなる。なお、この湾曲部４３ｂと前記上面板４２ａとの間には段差が形成されていない。
【００４０】
前記上面板４２ａには、この上面板４２ａの長さ方向に沿って複数のビス孔４４ａが点在して設けらている。
前記ブラケット４１は、この上面板４２ａを、前記複数のビス孔４４ａからそれぞれビス４５をねじ込んで前記板状部材５３（６１，７１，８１）の端部５４（６２，７２，８２）下面に固定することによって、前記板状部材５３（６１，７１，８１）の端部５４（６２，７２，８２）に固定される。
【００４１】
次に、以上のような照明装置１０，２０，３０，４０を、前記板状部材５３（６１，７１，８１）の端部５４（６２，７２，８２）下面に設置してなる本発明の照明装置の設置構造の実施形態について説明する。
【００４２】
（第１の実施の形態）
本実施の形態においては、図６および図７に示すように、玄関５０の上がり框５５付近に、足元灯として照明装置１０が設置されている。
図６，７において符号５１は、玄関土間を示す。この玄関土間５１は、コンクリート打設等によって形成されており、玄関ホール側端部には、玄関ホールを構成する玄関床５３（板状部材）を支持する立ち上がり部５２が設けられている。この立ち上がり部５２は、玄関土間５１と同様にコンクリート打設等によって形成されており、玄関土間５１と一体化されている。なお、これら玄関土間５１の表面および立ち上がり部５２の土間側面には、それぞれタイル５１ａ，５１ｂが貼り付けられている。
【００４３】
前記板状部材である玄関床５３としては建築用床パネルが用いられている。この床パネルは、縦横の框材を矩形枠状に組み立ててなる矩形枠の上面に面材を取り付けて形成されている。さらに、床パネル５３の面材の上面には床材５３ａが敷設されている。
なお、前記床パネル５３は、台輪５２ａを介して前記立ち上がり部５２の上面に設置されている。
【００４４】
前記玄関床である床パネル５３の土間側の端部５４（土間側端部）は、前記立ち上がり部５２の土間側面よりも土間５１側に突出している。
この土間側端部５４は、前記床パネル５３の土間側面に取り付けられるとともに後述する上がり框５５の取付下地となる下地材５４ａを備えている。
なお、この下地材５４ａの下面の高さ位置は、前記床パネル５３の土間側端部５４の下面よりも上方になるように設定されている。これら下地材５４ａの上面と床パネル５３の面材とは面一となっている。
そして、前記下地材５４ａの下面の高さ位置を、前記床パネル５３の土間側端部５４の下面よりも上方に設定することによって、図７に示すように、床パネル５３の土間側端部５４の突出側端面の下部が玄関土間５１側に露出することになる。
【００４５】
また、前記床パネル５３の土間側端部５４の突出側端面の下部には、立ち上がり部５２側に向かって光を照射するとともに、この光を下方へと反射させる照明装置１０が取り付けられている。すなわち、ブラケット１１の固定板１４が、前記床パネル５３の土間側端部５４の突出側端面からビス１５によって固定されている。
さらに、この床パネル５３の土間側端部５４には、下端部が、該土間側端部５４の下面よりも下方に突出する上がり框５５（遮蔽部材）が取り付けられており、この上がり框５５の下端部によって前記照明装置１０が遮蔽されている。
【００４６】
前記上がり框５５は、玄関や勝手口等の上がり口の段差部分に取り付けられる化粧材であり、前記床パネル５３に設けられた床材５３ａと連続する上面床部５５ａと、この上面床部５５ａの土間側端部に一体形成されるとともに下方に延在する前面部５５ｂとを備えている。すなわち、側断面視において略Ｌ字型に形成されている。
なお、本実施の形態の上がり框５５としては、木粉と樹脂とを混合して成形した木質様成形品が用いられている。
【００４７】
また、前記前面部５５ｂは、この前面部５５ｂの裏面の下側に、土間側端部５４側に突出する下側突出片５５ｃを有しており、上がり框５５の取付状態においては、この下側突出片５５ｃと上面床部５５ａの裏面（下面）との間に前記下地材５４ａが嵌め込まれた状態となる。
また、この前面部５５ｂの下端部は、前記玄関土間５１に当接しない、かつ玄関土間５１との間に隙間が形成できるような高さに位置している。さらに、この前面部５５ｂの、前記床パネル５３の土間側端部５４の下面からの突出長さは、前記照明装置１０自体を十分に遮蔽できる長さに設定されている。
そして、前記床パネル５３の土間側端部５４と前記照明装置１０とは、これら上面床部５５ａおよび前面部５５ｂによって覆われている。少なくとも前記床パネル５３の土間側端部５４に対する照明装置１０のブラケット１１の固定箇所は、前記上がり框５５によって遮蔽されている。
【００４８】
次に、前記照明装置１０の設置方法について説明する。
まず、前記玄関土間５１に設けられた立ち上がり部５２の上面に、前記台輪５２ａを介して、前記玄関床である床パネル５３を設置する。この時、前記床パネル５３の土間側端部５４は、前記立ち上がり部５２の土間側面よりも土間５１側に突出する。
【００４９】
続いて、前記ブラケット１１の収容部１２に、前記光源ユニット１を、パッキン材６を用いて隙間なく収容する。
このように光源ユニット１が予め収容された状態のブラケット１１を、図７に示すように、前記固定板１４を前記土間側端部５４の土間側面の下部に固定する。
この時、ドライバー等の工具を用いて、前記固定板１４を玄関土間５１側からビス１５によって固定する。
【００５０】
その後、前記床パネル５３の土間側端部５４に、下端部が、該土間側端部５４の下面よりも下方に突出する上がり框５５を取り付けるようにする。なお、特にこれに限るものではないが、本実施の形態において、この上がり框５５の土間側端部５４への取り付けは接着剤を用いて行われている。
【００５１】
以上のようにして、玄関５０の上がり框５５付近に、足元灯として照明装置１０を設置することができる。
なお、以上のように設置された照明装置１０の、前記光源ユニット１の光源２からの光は前記立ち上がり部５２側に照射されるとともに、この光が前記反射板１３によって反射されることによって、間接光として下方に照射されることになる。
【００５２】
（第２の実施の形態）
本実施の形態においては、図８および図９に示すように、階段６０の段板６１付近に、足元灯として照明装置２０，３０が設置されている。
図８および図９において符号６１は、前記板状部材である段板を示す。この段板６１は、階段６０の昇降方向に沿って複数設けられている。下段の段板６１の奥側端部と、上段の段板６１の手前側端部６２との間には、蹴込板６３が垂直に設けられている。
そして、前記段板６１の手前側端部６２は、前記蹴込板６３の表面よりも手前側に突出した状態となっている。
【００５３】
図８において、前記蹴込板６３の上端部は、前記上段の段板６１の下面に形成された溝部６１ａに嵌入されている。前記照明装置２０は、この蹴込板６３よりも手前側に位置するとともに、該蹴込板６３の表面よりも突出する段板６１の手前側端部６２の下面に設置されている。
すなわち、ブラケット２１の固定板２４が、前記上段の段板６１の手前側端部６２の突出側端面からビス２５によって固定されている。
なお、前記上段の段板６１の手前側端部６２が、前記蹴込板６３の表面よりも突出する突出長さが短い場合に、この照明装置２０が設置されるようになっており、図８では、ブラケット２１の収容部２２が、前記手前側端部６２の突出側端面よりも手前側に位置している。
【００５４】
さらに、前記上段の段板６１の手前側端部６２には、遮蔽部材として滑り止め６４が取り付けられている。
この滑り止め６４は、表面が凹凸状に形成された上面部６４ａと、この上面部６４ａの手前側端部に一体形成されるとともに下方に延在する前面部６４ｂとを備えている。すなわち、この滑り止め６４は、側断面視において略Ｌ字型に形成されている。
なお、本実施の形態の滑り止め６４としては、樹脂製のものが用いられている。
【００５５】
前記前面部６４ｂの下垂長さは、下端部が、前記段板６１の手前側端部６２の突出側端面よりも手前側に位置するブラケット２１の収容部２２の上面板２２ａに当接する程度に設定されている。すなわち、前記上段の段板６１の手前側端部６２に対する照明装置２０のブラケット２１の固定箇所は、前記滑り止め６４によって遮蔽されている。
また、前記前面部６４ｂの手前側面と、前記ブラケット１１の収容部２２の側面板２２ｃの表面とが面一となっている。
【００５６】
図９において、前記蹴込板６３の上端部は、前記上段の段板６１の手前側端部６２の下部に形成された切欠部６２ａに固定されている。この切欠部６２ａは、下段の段板６１の上面と対向する天井面６２ｂと、この天井面６２ｂの奥側端部から下方に設けられる垂直面６２ｃとを有している。前記蹴込板６３の上端部は、この垂直面６２ｃに固定されている。
前記照明装置３０は、前記蹴込板６３よりも手前側に位置するとともに、該蹴込板６３の表面よりも突出する段板６１の手前側端部６２の下面に設置されている。
すなわち、ブラケット３１は、前記切欠部６２ａに収納されるとともに、固定板３４が、前記上段の段板６１の手前側端部６２の突出側端面からビス３５によって固定されている。
【００５７】
さらに、前記上段の段板６１の手前側端部６２には、遮蔽部材として滑り止め６５が取り付けられている。
この滑り止め６５は、表面が凹凸状に形成された上面部６５ａと、この上面部６５ａの手前側端部に一体形成されるとともに下方に延在する前面部６５ｂとを備えている。すなわち、この滑り止め６５は、側断面視において略Ｌ字型に形成されている。
なお、本実施の形態の滑り止め６５としては、樹脂製のものが用いられている。
【００５８】
前記前面部６５ｂの下垂長さは、前記照明装置３０自体を十分に遮蔽できる長さに設定されている。すなわち、前記上段の段板６１の手前側端部６２に対する照明装置３０のブラケット３１の固定箇所は、前記滑り止め６５によって遮蔽されている。
【００５９】
次に、前記照明装置２０，３０の設置方法については、上述の照明装置１０の設置方法と同様に、光源ユニット１が予め収容された状態のブラケット２１，３１を、前記固定板２４，３４を前記手前側端部６２の突出側端面に固定し、その後、前記上段の段板６１の手前側端部６２に、前記滑り止め６４，６５を取り付けるようにする。
以上のようにして、階段６０の段板６１付近に、足元灯として照明装置２０，３０を設置することができる。
なお、以上のように設置された照明装置２０、３０の、前記光源ユニット１の光源２からの光は前記蹴込板６３側に照射されるとともに、この光が前記反射板２３，３３によって反射されることによって、間接光として下方に照射されることになる。
【００６０】
（第３の実施の形態）
本実施の形態においては、図１０および図１１に示すように、吊戸棚７０の棚板７１付近に、間接照明として照明装置３０，４０が設置されている。
図１０および図１１において符号７１は、前記板状部材である棚板を示す。この棚板７１は、上下方向に間隔をあけて複数配置されており、一番上の棚板７１は天板とされ、一番下の棚板７１は底板とされている。
また、これら棚板７１…の側面には、図示しない側板が設けられるとともに、これら複数の棚板７１…および側板の奥側（壁面側）端部には背板７４が設けられており、これにより、吊戸棚７０は、前方が開口する箱状を呈している。なお、前記棚板７１…の奥側端部には溝部７１ａが形成されており、この溝部７１ａに前記背板７４の上端部または下端部が嵌入されている。
また、吊戸棚７０自体は、壁面に予め固定された上側支持桟７５に対して前記天板である棚板７１を固定するとともに、下側支持桟７６に対して前記底板である棚板７１を固定することによって壁面に設置することができる。
【００６１】
図１０において、照明装置３０は、底板である棚板７１の手前側端部７２の下面に設置されている。
すなわち、ブラケット３１の固定板３４が、前記棚板７１の手前側端部７２の突出側端面からビス３５によって固定されている。
【００６２】
さらに、複数の棚板７１…および側板の手前側端部７２には、遮蔽部材として、吊戸棚７０の開口を開閉するための扉板７３が設けられている。
この扉板７３の下端部は、前記底板である棚板７１の下面よりも下方に突出しており、この扉板７３の下端部によって、前記照明装置３０自体を十分に遮蔽できるようになっている。したがって、前記棚板７１の手前側端部７２に対する照明装置３０の固定箇所は、前記扉板７３によって遮蔽されている。
【００６３】
図１１において、照明装置４０は、底板である棚板７１の手前側端部７２の下面に設置されている。
すなわち、ブラケット４１の収容部４２の上面板４２ａが、前記棚板７１の手前側端部７２の下面からビス４５によって固定されている。
この時、前記棚板７１の手前側端部７２の突出側端面と、前記ブラケット４１の収容部４２の側面板４２ｃとが面一となっている。
また、この照明装置４０も、前記照明装置３０の場合と同じく、前記扉板７３の下端部によって十分に遮蔽できるようになっている。したがって、前記棚板７１の手前側端部７２に対する照明装置４０の固定箇所は、前記扉板７３によって遮蔽されている。
【００６４】
次に、前記照明装置３０，４０の設置方法については、上述の照明装置１０の設置方法と同様に、光源ユニット１が予め収容された状態のブラケット３１，４１を前記手前側端部７２に固定し、その後、前記棚板７１の手前側端部７２に、前記扉板７３を取り付けるようにする。
以上のようにして、吊戸棚７０の棚板７１付近に、間接照明として照明装置３０，４０を設置することができる。
なお、以上のように設置された照明装置３０、４０の、前記光源ユニット１の光源２からの光は壁面側に照射されるとともに、この光が前記反射板３３，４３によって反射されることによって、間接光として下方に照射されることになる。
【００６５】
（第４の実施の形態）
本実施の形態においては、図１２および図１３に示すように、カーテンボックス８０の側板８１付近に、間接照明として照明装置３０，４０が設置されている。
図１２および図１３において符号８１は、前記板状部材である側板を示す。
カーテンボックス８０は、壁面側と部屋の中央側とに間隔をあけて配置される一対の棚板８１，８１と、これら一対の側板８１，８１の上端部間に一体的に設けられる天板８３と、この天板８３の下面に取り付けられるカーテンレール８４，８４とを備えている。
また、このカーテンボックス８０は、部屋の天井と壁面とで形成される隅部に設けられており、図示はしないが、このカーテンボックス８０が設けられる壁には窓等の開口部が形成されている。
【００６６】
図１２において、照明装置３０は、一対の側板８１，８１のうち、部屋の中央側に配置された側板８１の下端部８２の下面に設置されている。
すなわち、ブラケット３１の固定板３４が、前記側板８１の下端部８２の部屋中央側面からビス３５によって固定されている。
【００６７】
さらに、部屋の中央側に配置された側板８１の上端部付近には、部屋の天井を構成する天井板８５が水平に設けられている。
そして、この天井板８５と前記側板８１とで形成される隅部には、遮蔽部材として、廻り縁８６が該隅部の長さ方向に沿って設けられている。
この廻り縁８６の下端部は、前記部屋の中央側に配置された側板８１の下端面よりも下方に突出しており、その突出長さは、前記照明装置３０自体を十分に遮蔽できる長さに設定されている。したがって、前記側板８１の下端部８２に対する照明装置３０のブラケット３１の固定箇所は、前記廻り縁８６によって遮蔽されている。
【００６８】
図１３において、照明装置４０は、一対の側板８１，８１のうち、部屋の中央側に配置された側板８１の下端部８２の下面に設置されている。
すなわち、ブラケット４１の収容部４２の上面板４２ａが、前記側板８１の下端部８２の下面（下端面）からビス４５によって固定されている。
この時、前記側板８１の部屋中央側面と、前記ブラケット４１の収容部４２の側面板４２ｃとが面一となっている。
また、この照明装置４０も、前記照明装置３０の場合と同じく、前記廻り縁８６の下端部によって十分に遮蔽できるようになっている。したがって、前記側板８１の下端部８２に対する照明装置４０の固定箇所は、前記廻り縁８６によって遮蔽されている。
【００６９】
次に、前記照明装置３０，４０の設置方法については、上述の照明装置１０の設置方法と同様に、光源ユニット１が予め収容された状態のブラケット３１，４１を前記下端部８２に固定し、その後、前記天井板８５と前記側板８１とで形成される隅部に、前記廻り縁８６を取り付けるようにする。
以上のようにして、カーテンボックス８０の側板８１付近に、間接照明として照明装置３０，４０を設置することができる。
なお、以上のように設置された照明装置３０、４０の、前記光源ユニット１の光源２からの光は壁面側に照射されるとともに、この光が前記反射板３３，４３によって反射されることによって、間接光として下方に照射されることになる。
【００７０】
以上のように第１〜第４の実施の形態によれば、前記光源ユニット１の発光面を前方に向けなくても、この光源ユニット１から発せられる光を、前記ブラケット１１（２１，３１，４１）の反射板１３（２３，２４，２５）によって反射させて、間接光として前記板状部材５３（６１，７１，８１）の端部下方に照射することができる。これによって、従来とは異なり、前記光源ユニット１を露出させたり、発光面を前方に向けたりする必要がなくなるので、前記照明装置１０（２０，３０，４０）を周囲の外観に調和させやすくすることができるとともに、前記光源ユニット１の発光面を確実に保護することが可能となる。
【００７１】
また、前記光源ユニット１の下面には、この光源ユニット１を保護するためのカバー部材１２ｂ（２２ｂ，３２ｂ，４２ｂ）が設けられているので、このカバー部材１２ｂ（２２ｂ，３２ｂ，４２ｂ）によって、前記光源ユニット１の発光面をより確実に保護することができる。
【００７２】
また、前記収容部１２（２２，３２，４２）の下面板は、この下面板１２ｂ（２２ｂ，３２ｂ，４２ｂ）の開口側端部から上方に突出する突出片１２ｄ（２２ｄ，３２ｄ，４２ｄ）を有しており、前記光源ユニット１は、この突出片１２ｄ（２２ｄ，３２ｄ，４２ｄ）よりも内側に位置するようにして前記下面板１２ｂ（２２ｂ，３２ｂ，４２ｂ）上に載置されているので、前記光源ユニット１を収容部１２（２２，３２，４２）内に確実に収容できるとともに、前記下面板１２ｂ（２２ｂ，３２ｂ，４２ｂ）および突出片１２ｄ（２２ｄ，３２ｄ，４２ｄ）によって、前記光源ユニット１の発光面をさらに確実に保護することができる。
【００７３】
また、前記ブラケット１１（２１，３１）は、このブラケット１１（２１，３１）の上面から上方に突出する固定板１４（２４，３４）を備えており、この固定板１４（２４，３４）は、前記板状部材５３（６１，７１）の端部５４（６２，７２）側面からビス１５（２５，３５）によって固定されているので、この固定板１４（２４，３４）を、前記板状部材５３（６１，７１）の端部５４（６２，７２）側面に対して前方からビス１５（２５，３５）によって固定することができる。これによって、目視確認しながら、前記照明装置１０（２０，３０）を前記板状部材５３（６１，７１）の端部５４（６２，７２）に固定することができるので、前記照明装置１０（２０，３０）の施工を容易かつ確実に行うことができる。
【００７４】
また、前記板状部材５３（６１，７１，８１）に対するブラケット１１（２１，３１，４１）の固定箇所は、遮蔽部材５５（６４，６５，７３，８６）によって遮蔽されているので、前記ビス１５（２５，３５，４５）を遮蔽でき、前記照明装置１０（２０，３０，４０）を周囲の外観により調和させやすくすることができる。
【００７５】
また、前記遮蔽部材５５（６４，６５）は、前記板状部材５３（６１）の端部５４（６２）上面を覆う上面部５５ａ（６４ａ，６５ａ）と、板状部材５３（６１）の端部５４（６２）側面を覆う前面部５５ｂ（６４ｂ，６５ｂ）とを有しており、前記前面部５５ｂ（６４ｂ，６５ｂ）の下端部は、前記板状部材５３（６１）の端部５４（６２）下面よりも下方に突出しているので、前記板状部材５３（６１）に対するブラケット１１（２１，３１，４１）の固定箇所を遮蔽部材５５（６４，６５）で遮蔽できることに加え、前記前面部５５ｂ（６４ｂ，６５ｂ）の下端部によって、前記板状部材５３（６１）の端部と前記ブラケット１１（２１，３１，４１）自体とを遮蔽できる。これによって、前記照明装置１０（２０，３０，４０）を周囲の外観により一層調和させやすくすることができる。
【００７６】
また、前記板状部材５３である玄関床の土間側端部５４の下端部に、前記照明装置１０が取り付けられており、この玄関床５３の土間側端部５４には、前記遮蔽部材５５である上がり框が取り付けられているので、この上がり框５５によって、前記玄関床５３に対するブラケット１１の固定箇所を遮蔽できることに加え、前記前面部５５ｂの下端部によって、前記玄関床５３の土間側端部５４と前記ブラケット１１自体とを遮蔽できる。これによって、前記照明装置１０を周囲の外観にさらに調和させやすくすることができる。
【００７７】
また、下地材５４ａの下面の高さ位置を、前記玄関床５３の土間側端部５４の下面よりも上方に設定することによって、該土間側端部５４の突出側端面の下部が玄関土間５１側に露出しており、前記ブラケット１１は、前記固定板１４を前記土間側端部５４の突出側端面の下部に固定することによって、前記玄関床５３の土間側端部５４に取り付けられているので、前記上がり框５５を前記土間側端部５４に取り付ける前に、前記固定板１４を前記土間側端部５４の突出側端面に対して前方からビス１５固定することができる。これによって、前記ブラケット１１ひいては照明装置１０の取付作業を容易かつ確実に行うことができる。
【００７８】
また、前記板状部材６１の端部６２には切欠部６２ａが形成されており、この切欠部６２ａに、前記ブラケット３１が収納されているので、前記照明装置３０を外部から目立たなくすることができ、この照明装置３０を周囲の外観により一層調和させやすくすることができる。
【符号の説明】
【００７９】
１  光源ユニット
１０  照明装置
１１  ブラケット
１２  収容部
１３  反射板
２０  照明装置
２１  ブラケット
２２  収容部
２３  反射板
３０  照明装置
３１  ブラケット
３２  収容部
３３  反射板
４０  照明装置
４１  ブラケット
４２  収容部
４３  反射板
５３  玄関床（板状部材）
５４  側端部
５５  上がり框（遮蔽部材）
６１  段板（板状部材）
６２  側端部
６３  滑り止め（遮蔽部材）
６４  滑り止め（遮蔽部材）
７１  棚板（板状部材）
７２  側端部
７３  扉板（遮蔽部材）
８１  側板（板状部材）
８２  下端部
８３  廻り縁（遮蔽部材）
【図１】
0005539811.tif 000002
【図２】
0005539811.tif 000003
【図３】
0005539811.tif 000004
【図４】
0005539811.tif 000005
【図５】
0005539811.tif 000006
【図６】
0005539811.tif 000007
【図７】
0005539811.tif 000008
【図８】
0005539811.tif 000009
【図９】
0005539811.tif 000010
【図１０】
0005539811.tif 000011
【図１１】
0005539811.tif 000012
【図１２】
0005539811.tif 000013
【図１３】
0005539811.tif 000014